(57)【要約】      （修正有）【課題】蓋体と容器を繰り返し固定でき、把手としても機能し、かつ、製造が容易な容器固定具を提供する。【解決手段】容器の蓋体１の直径よりもわずかに長い長さを有する中央板部４と、中央板部４の長さ方向両側に対称に形成され、互いに対向する一組の側板部５，５と、を有する容器固定具３であって、中央板部４と側板部５，５は弾性材料で一体に形成されており、双方の側板部５，５の端部には、容器本体に係合する係合部６が形成されており、少なくとも一方の側板部５には、中央板部４の位置とは逆方向に突出したうえで、略直角に曲折して容器本体の内周部に当接するようになっている第一固定部７と、第一固定部７と同方向に突出し、容器本体の外周部に当接するようになっている第二固定部６４が形成されている。【選択図】図１
0003198561.tif 000002
【実用新案登録請求の範囲】
【請求項１】
容器の蓋体の直径よりもわずかに長い長さを有する中央板部と、前記中央板部の長さ方向両側に対称に形成され、互いに対向する一組の側板部と、を有する容器固定具であって、
前記中央板部と前記側板部は弾性材料で一体に形成されており、
双方の前記側板部の端部には、容器本体に係合する係合部が形成されており、
少なくとも一方の前記側板部には、前記中央板部の位置とは逆方向に突出したうえで、略直角に曲折して前記容器本体の内周部に当接するようになっている第一固定部と、前記第一固定部と同方向に突出し、前記容器本体の外周部に当接するようになっている第二固定部が形成されている容器固定具。
【請求項２】
前記係合部が容器本体の鍔部に係合するようになっており、
前記第二固定部が、前記容器本体の鍔部下面又は鍔部下面の下方の前記容器本体の外周部に当接するようになっている請求項１に記載の容器固定具。
【請求項３】
前記中央板部の幅は前期蓋体に形成されている二本の線状突起の間隔よりも狭く、前記中央板部と双方の前記側板部にわたって機械的強度増強用の線状凸部が形成されている請求項１又は請求項２に記載の容器固定具。
【請求項４】
前記係合部が、前記中央板部側に屈折した第一屈折部と、前記第一屈折部の屈折方向とは反対方向に屈折した第二屈折部と、前記第一屈折部と前記第二屈折部との間の中間部とからなる湾曲形状をなしており、前記蓋体を前記容器本体に固定するときに、前記第二屈折部の下面が前記容器本体の鍔部上面を摺動し、かつ、前記第一屈折部の上面が鍔部下面を摺動したうえで前記鍔部下面に当接し、前記容器固定具で前記容器本体を把持するときに、前記第１固定部が前記容器本体の内周部に当接し、かつ、前記第二固定部が前記容器本体の鍔部下面又は鍔部下面の下方の前記容器本体の外周部に当接するように、前記蓋体及び前記容器本体の形状との関係で、前記第一屈折部及び前記第二屈折部の屈折角度を含む形状が規定されている請求項２に記載の容器固定具。
【考案の詳細な説明】
【技術分野】
【０００１】
本考案は、把手を兼ねた容器固定具に関する。
【背景技術】
【０００２】
蓋が容器本体に固定されておらず、単に載せられている態様の容器として、例えば、釜飯の容器がある。釜飯は、調理した米に椎茸、鶏肉などの具を載せ、一人用の釜で炊いた米飯料理であり、駅などで販売される弁当としては、峠の釜めし（登録商標）が有名である。釜飯の容器は、陶器製の容器本体と蓋体とで構成される。容器本体の円形開口部からやや下がった位置に、略水平に外側に突き出た鍔部（つば部）が全周にわったって形成されている。蓋体は、容器本体の開口部を形成する外周上端部の外形よりもやや大きい直径の円板状の部材であり、蓋体の上面には、二本の線状突起が設けられている。蓋体は容器本体の外周上端部に載せられているだけであり、固定手段はない。このため、釜飯の販売等に際して、蓋体が容器本体から外れないようにする必要があり、例えば、紙製の枠で蓋体と容器本体を固定する技術が提案されている（例えば、特許文献１）。
【先行技術文献】
【特許文献】
【０００３】
【特許文献１】特開２０１５−１３６８５号公報
【考案の概要】
【考案が解決しようとする課題】
【０００４】
釜飯の容器の場合、蓋体と容器本体は陶器製であるから、本来、繰り返えし使用することができるのであるが、実際には、中身の食物を食べ終えた後、破棄されることがある。再利用が可能な容器を一度の使用で破棄するのは、資源の有効利用に反するうえに、陶器製の廃棄物の処理には費用もかかる。釜飯の容器が一度の使用で破棄される背景として、蓋体と容器本体が固定されていないため、持ち運びや食物を入れて保管する際に不便であり、また、把手（取っ手）がついているわけではないので、一般家庭での調理の際にも不便であるという事情がある。上述の紙製の枠で蓋体と容器本体を固定する技術は、中身の食物を食べ終えた後において繰り返し適用できるものではないし、一般家庭での調理の際に不便であるという問題を解決することができるものでもない。
【０００５】
本考案はかかる問題の解決を試みたものであり、蓋体と容器本体を繰り返し固定でき、把手としても機能し、かつ、簡易に製造することができる容器固定具の提供を目的とする。
【課題を解決するための手段】
【０００６】
第一の考案は、容器の蓋体の直径よりもわずかに長い長さを有する中央板部と、中央板部の長さ方向両側に対称に形成され、互いに対向する一組の側板部と、を有する容器固定具であって、中央板部と側板部は弾性材料で一体に形成されており、双方の側板部の端部には、容器本体に係合する係合部が形成されており、少なくとも一方の側板部には、中央板部の位置とは逆方向に突出したうえで、略直角に曲折して容器本体の内周部に当接するようになっている第一固定部と、第一固定部と同方向に突出し、容器本体の外周部に当接するようになっている第二固定部が形成されている容器固定具である。
【０００７】
第一の考案の容器固定具によれば、中央板部が蓋体と当接し、双方の側板部の係合部が容器本体に係合することによって、蓋体を容器本体に固定することができる。また、第一固定部が容器本体の内周部に当接し、第二固定部が容器本体の外周部に当接することによって、側板部が容器本体を支持すると、中央板部は容器本体の外側に位置するから、把手として機能する。さらに、中央板部と側板部とは一体に形成されているから、製造が簡易である。
【０００８】
第二の考案は、第一の考案において、係合部が容器本体の鍔部に係合するようになっており、第二固定部が、容器本体の鍔部下面又は鍔部下面の下方の容器本体の外周部に当接するようになっている容器固定具である。
【０００９】
第二の考案の容器固定具によれば、容器本体に鍔部が形成されている場合において、中央板部が蓋体と当接し、双方の側板部の係合部が鍔部に係合することによって、蓋体を容器本体に固定することができる。また、第一固定部が容器本体の内周部に当接し、第二固定部が容器本体の鍔部下面又は鍔部下面の下方の容器本体の外周部に当接することによって、側板部が容器本体を支持すると、中央板部は容器本体の外側に位置するから、把手として機能する。
【００１０】
第三の考案は、第一の考案又は第二の考案において、中央板部の幅は蓋体に形成されている二本の線状突起の間隔よりも狭く、中央板部と双方の側板部にわたって機械的強度増強用の線状凸部が形成されている容器固定具である。
【００１１】
第三の考案によれば、釜飯容器の蓋体のように、蓋体に二本の線状突起が形成されている場合において、中央板部の幅は蓋体に形成されている二本の線状突起の間隔よりも狭いから、中央板部は蓋体に形成されている二本の線状突起の間において、確実に位置決めされる。さらに、線状凸部が中央板部と側板部にわたって形成されていることにより、容器固定具の弾性変形の際に、中央板部と側板部との角度は、ほぼ維持されながら、中央板部が外部からの力によって撓む結果として、双方の側板部の間隔が左右方向に伸縮することにより、側板部に形成された係合部が容器本体に係合する。これにより、複数回の弾性変形によっても、中央板部と側板部の境界部分における金属疲労が低減されるから、容器固定具は釜飯の容器をより多くの回数、繰り返し固定することができる。また、容器固定具が把手として機能する際には、線状凸部によって、中央板部と側板部との角度が、ほぼ維持されるうえに、線状凸部が、双方の側板部の中間に位置する中央板部全体にわたって形成されており、中央板部が折れ曲がったり、過度に撓むことを防止できるから、調理の際の容器本体の取り扱いが容易である。
【００１２】
第四の考案は、第二の考案において、係合部が、中央板部側に屈折した第一屈折部と、第一屈折部の屈折方向とは反対方向に屈折した第二屈折部と、第一屈折部と第二屈折部との間の中間部とからなる湾曲形状をなしており、蓋体を容器本体に固定するときに、第二屈折部の下面が容器本体の鍔部上面を摺動し、かつ、第一屈折部の上面が鍔部下面を摺動したうえで鍔部下面に当接し、容器固定具で容器本体を把持するときに、第１固定部が容器本体の内周部に当接し、かつ、第二固定部が容器本体の鍔部下面又は鍔部下面の下方の容器本体の外周部に当接するように、蓋体及び容器本体の形状との関係で、第一屈折部及び第二屈折部の屈折角度を含む形状が規定されている容器固定具である。
【００１３】
第四の考案によれば、容器固定具は、確実に、蓋体を容器本体に固定することができ、かつ、容器の把手として機能できる。
【考案の効果】
【００１４】
以上のように、本考案の容器固定具によれば、蓋と容器本体を繰り返し固定でき、把手としても機能することができ、かつ、製造が容易である。
【図面の簡単な説明】
【００１５】
【図１】釜飯容器固定具３によって蓋体を容器本体に固定した状態を示す斜視図である。
【図２】釜飯容器固定具３の正面図である。
【図３】釜飯容器固定具３の平面図である。
【図４】釜飯容器固定具３の底面図である。
【図５】釜飯容器固定具３の側面図である。
【図６】釜飯容器固定具３によって蓋体を容器本体に固定する過程を示す面である。
【図７】釜飯容器固定具３によって蓋体を容器本体に固定する過程を示す面である。
【図８】釜飯容器固定具３によって蓋体を容器本体に固定する過程を示す面である。
【図９】釜飯容器固定具３が把手として機能する状態を示す概略断面図である。
【図１０】釜飯容器固定具３が容器本体に配置されて、把手として機能する状態を上方から見た斜視図である。
【図１１】釜飯容器固定具３が容器本体に配置されて、把手として機能する状態を下方から見た斜視図である。
【考案を実施するための形態】
【００１６】
本考案の実施形態を、以下の実施例に従って説明する。本明細書において、「水平方向」は、図１等に示す釜飯容器の蓋体１の上面１１と平行な方向（各図の紙面左右方向）を意味し、「垂直方向」は、そのような水平方向と垂直な方向（各図の紙面上下方向）を意味するものとする。
【００１７】
図１に示すように、釜飯用容器は、蓋体１と容器本体２とからなる。蓋体１と容器本体２は、陶器製である。蓋体１は、円板状であり、その上面である蓋体上面１１には、二本の線状突起１２，１２が設けられている。容器本体２は、円形の外周壁によって、円形開口（図示せず）が形成されている容器であり、外周壁上端部２４からやや下がった位置に、略水平に外側に突き出た鍔部（つば部）２２が全周にわたって形成されている。蓋体１の直径は、容器本体の外周壁上端部２４の外径よりもやや大きい。蓋体１は容器本体２の外周壁上端部２４に載せられているだけであり、蓋体１にも容器本体２にも固定手段はない。
【００１８】
図１〜図５に示すように、釜飯容器固定具３（以下、「固定具３」という。）は、中央板部４と一組の側板部５，５から構成される。側板部５，５は、中央板部４の長さ方向両側に対称に形成されている。なお、本実施例の固定具３は、左右対称の構成であるから、本明細書において、適宜、左右のいずれか一方についてのみ説明する。中央板部４と側板部５，５は、弾性材料で一体に形成されている。弾性材料は、例えば、ＳＵＳ３０１、ＳＵＳ３０４、ＳＵＳ６３１等のばね用ステンレス鋼帯であり、弾性材料に、打ち抜き加工、プレス加工を施すことによって、固定具３の形状が形成される。なお、弾性材料は、真鍮等、他の金属でもよい。また、弾性を有する材料であれば、エポキシ樹脂、メラミン樹脂、ユリア樹脂フェノール樹脂等の熱硬化性樹脂で固定具３を形成してもよいし、熱可塑性樹脂でも、耐熱性を有する材料、例えば、ＰＰＳ樹脂で固定具３を形成してもよい。
【００１９】
中央板部４の長さＬ１（図３参照）は、蓋体１の直径と同一か、蓋体１の直径よりもわずかに長い。中央板部４の幅Ｗ１（図３参照）は蓋体１に形成されている２本の線状突起１２，１２の間隔よりも小さい。側板部５，５の幅Ｗ２（図３参照）は、中央板部４の幅Ｗ１よりも大きい。
【００２０】
側板部５，５は、中央板部４の両側に、対向して対称に形成される。側板部５の直線部５ａ（図２（ａ）参照）の長さは、蓋体１の外縁と鍔部２２の外縁との最短距離Ｌ３（図６（ａ）参照）とほぼ等しい。中央板部４と側板部５，５とがなす角度θ３（図２（ａ）参照）は、直角よりも大きい鈍角であるが、図６（ａ）の線分Ｌ３（上述の最短距離Ｌ３を計測する方向）の方向と水平方向とがなす角度θ６（図６（ａ）参照）よりもやや小さい角度として規定されている。側板部５，５の端部には、容器本体２の鍔部２２と係合する係合部６が形成されている。中央板部４と係合部６は、蓋体を容器本体に固定するための主要な構成であり、固定時に機能する。角度θ３が上述のように規定されているのは、固定具３が蓋体１と容器本体２を固定したときに、左右から容器本体２の縁部２２を押圧し、その左右からの力の分力によって蓋体１には中央板部４によって上方向から、鍔部２２の下面には係合部６によって下方向からの力が作用するようにするようにして、上下から締め付けることができるようにするためである。
【００２１】
また、側板部５，５には、中央板部４の位置とは逆方向に突出したうえで、下方向に略直角に曲折する第一固定部７と、第一固定部と同方向に突出する第二固定部６４が形成されている。中央板部４、第一固定部７及び第二固定部６４は、固定具３が容器本体２の把手として機能するときの主要な構成であり、把持時に機能する。把持時において、第一固定部７は、容器本体２の内周部に当接し、第二固定部６４は、容器本体２の鍔部下面２２ｂ（図６（ａ）参照）又は鍔部下面の下方に位置する容器本体の鍔下方部２３に当接する。なお、本実施例とは異なり、第一固定部７と第二固定部６４は、側板部５，５の双方ではなくて、いずれか一方に形成されていてもよい。
【００２２】
また、線状凸部４１，４１が、中央板部４と双方の側板部５，５にわたって形成されている。線状凸部４１，４１は、プレス加工によって形成され、各図における上方が凸面で、下方が凹面になっている。線状凸部４１，４１は、中央板部４の機械的強度を増強するほか、中央板部４と側板部５がなす角度θ３（図２（ａ）参照）を維持する機能を有する。
【００２３】
図１に示すように、係合部６は、中央板部４の方向に屈折した第一屈折部６１と、中央板部４とは反対方向に屈折した第二屈折部６３と、第一屈折部６１と第二屈折部６３との間の中間部６２を含む湾曲形状をなしている。第二屈折部６３の端部が第二固定部６４になっている。
【００２４】
蓋体１を容器本体２に固定する固定時において、第二屈折部６３の下面６３ｂが容器本体２の鍔部上面２２ａを摺動し（図６参照）、中間部６２が鍔部２２を乗り越え、第一屈折部の上面６１ａが鍔部下面２２ｂを摺動したうえで鍔部下面２２ｂに当接するようになっている。なお、本実施例とは異なり、容器本体に鍔部が形成されていない場合には、係合部６は、容器本体の外周部に係合、あるいは、当接する。
【００２５】
また、固定具３が容器本体２の把手として機能する把持時において、第一固定部７が容器本体２の内周部に当接し、第二固定部６４が容器本体２の鍔部下面２２ｂ又は鍔部下面２２ｂの下方の容器本体の外周部である鍔下方部２３（図１参照）に当接するようになっている。なお、本実施例とは異なり、容器本体に鍔部が形成されていない場合には、第二固定部６４は、容器本体の外周部に当接する。
【００２６】
以下、固定具３の構造について、詳細に説明する。中央板部４の長さ方向（水平方向）に対する第一屈折部６１の屈折角度θ１（図２（ｂ）参照）は、容器本体２２の鍔部下面２２ｂの水平線に対する角度θ４（図６（ｂ）参照）との関係で規定される。すなわち、θ１が大きすぎると、固定時において、第一屈折部６１の上面６１ａが鍔部下面２２ｂと離れるから、摺動することができないし、当接することもできない。すなわち、上面６１ａが鍔部下面２２ｂを下から押圧することができないから、固定具３によって、蓋体１を容器本体２にしっかりと固定することができない。一方、屈折角度θ１が小さすぎると、固定時において、係合部６が鍔部２２を上方から下方に乗り越えて、鍔部下面２２ｂの方向に侵入することが容易でなく、係合が困難になる。このため、屈折角度θ１は、固定時において、第一屈折部６１の上面６１ａが鍔部下面２２ｂを摺動することができる程度に小さく、係合部６が鍔部下面２２ｂの位置に容易に侵入することができる程度に大きい角度として規定されており、具体的には、角度θ４とほぼ同じか、わずかに小さい角度である。
【００２７】
水平方向に対する第二屈折部６３の屈折角度θ２（図２（ｂ）参照）は、容器本体２２の鍔部上面２２ａの水平線に対する角度θ５及び鍔部下面２２ｂの水平方向に対する角度θ４（図６（ｂ）及び（ｃ）参照）との関係で規定される。まず、屈折角度θ２は、固定時に、第二屈折部６３の下面６３ｂが容器本体２の鍔部上面２２ａを摺動し易い角度である。具体的には、角度θ２は、鍔部上面２２ａの水平線に対する角度θ５とほぼ同じ角度であることが望ましいが、水平方向の角度（中央板部４の長さ方向と平行であり、θ＝０度）から、角度θ５よりもやや大きい角度の範囲内の角度であってもよい。すなわち、０≦θ２≦θ５＋αである。しかし、屈折角度θ２が大きすぎると、把持時において、第二固定部６４が、鍔部下面２２ｂ又は鍔部下面２２ｂの下方の容器本体２の外周部である鍔下方部２３（図１参照）に当接することが困難になる。また、屈折角度θ２が小さすぎると、把持時において、第二固定部６４が鍔部下面２２ｂ方向に侵入することが困難になる。このため、第二屈折部６３の屈折角度θ２は、固定時において、屈折部６３の下面６３ｂが容器本体２の鍔部上面２２ａを容易に摺動し、かつ、把持時において、第二固定部６４が、鍔部下面２２ｂ又は鍔部下面２２ｂの下方の容器本体２の外周部である鍔下方部２３に当接し易いように規定されている。屈折角度θ２は、例えば、角度θ４よりもわずかに大きい角度である。すなわち、屈折角度θ２の望ましい角度は、角度θ４よりもわずかに大きく、角度θ５とほぼ同じ角度である。
【００２８】
次に、図６〜８を参照して、固定部材３によって蓋体１を容器本体２に固定する方法を示す。図６（ａ）は、蓋体１が容器本体２に載置された状態において、固定部材３が蓋体１に覆いかぶさるように配置され、双方の係合部６，６の第二屈折部６３の下面６３ｂが、鍔部上面２２ａに接する直前の状態を示している。このとき、双方の係合部６，６の間の距離はＬ２ａである。この状態で、中央板部４の中央近傍において、矢印Ｐ方向の力を加えると、第二屈折部６３の下面６３ｂが、鍔部上面２２ａに接し、この応力によって板部４は撓み、双方の係合部６，６の距離は大きくなる。そうすると、第二屈折部６３の下面６３ｂは、鍔部上面２２ａ上を摺動し、図７に示す状態になる。図７においては、主として中央板部４が撓むことによって、双方の係合部６，６の距離が広がり、その距離はＬ２ｂとなっている。距離Ｌ２ｂは、鍔部２２の外径と略同一である。図７の状態において、さらに、中央板部４に力を加えると、双方の係合部６，６は鍔部２を乗り越え、第一屈折部の上面６１ａが鍔部２２の下面２２ｂを摺動し、図８（ａ）に示す状態になる。図８（ａ）の状態において、蓋体１は容器本体２に固定される。図８（ｂ）は、図８（ａ）の部分拡大図であり、図８（ｃ）は、説明の便宜上、容器本体２と固定部材３を離間させて記載した拡大図である。図８（ｂ）及び（ｃ）に示すように、側板部５，５の内側において、側板部５の直線部分５ａと係合部６との境界部分６１ｃが、鍔部２２の突端部２２ｃと当接している。また、第一屈折部６１の上面である屈折部上面６１ａが鍔部２２の下面である鍔部下面２２ｂに当接している。
【００２９】
図８（ａ）において、双方の係合部６，６の間の距離はＬ２ｃとなっている。距離Ｌ２ｃは、距離Ｌ２ａよりも大きく、距離Ｌ２ｂよりも小さい。係合部６，６の間の距離が、このようになるように、蓋体１及び容器本体２の各部の寸法との関係で、係合部６を含む固定具３の寸法が規定される。双方の係合部６，６の間の距離が、距離Ｌ２ｃになることで、双方の係合部６，６は縁部２２を両側から締め付けるようになっている。図８（ａ）において、両側から締め付ける力の方向が、矢印ｘ１、ｘ２にて示されている。この矢印ｘ１、ｘ２の水平方向の力は、係合部６，６が湾曲状に形成されていることによって、垂直方向の分力を有し、屈折部上面６１ａが鍔部下面２２ｂを下から押圧する力になる。すなわち、屈折部上面６１ａが水平方向に対して角度θ１（図２参照）を有していることで、上述の垂直方向（ｙ２方向）の分力を有するようになっている。これにより、中央板部４と屈折部上面６１ａは、上下方向から、蓋体１と容器本体２の鍔部２２を締め付けるようになっている。上下方向から締め付ける力の方向が、矢印ｙ１、ｙ２にて示されている。
【００３０】
上述のように、固定具３は、中央板部４が蓋体１に形成されている二本の線状突起１２の間において位置決めされ、側板部５，５によって、容器本体２の鍔部２２に対して水平方向の力で締付け、さらに、中央板部４と係合部６によって、蓋体１と鍔部下面２２ｂに対して上下方向の力で締め付ける。これにより、固定具３は、蓋体１を容器本体２に、精度良く、かつ、確実に固定することができる。なお、本実施例とは異なり、容器本体に鍔部が形成されていない場合には、係合部６は、容器本体の外周部に当接するのであるが、容器本体が略半球状であり、係合部６が湾曲形状であることから、係合部６が容器本体の外周部に接する力は容器本体の外周部に上方向に押圧する分力を有することになり、固定具３全体として、蓋体と容器本体を上下方向の力で締め付けることができる。
【００３１】
次に、図９〜１１を参照して、固定具３が容器本体２を支持し、把手として機能する状態、すなわち、把持時の状態を示す。図９（ａ）は、把持時における容器本体２及び固定部材３の概略断面図である。図９（ｂ）は、図９（ａ）の部分拡大図であり、図９（ｃ）は、図９（ａ）の固定部材３の部分拡大図である。図９（ａ）〜（ｃ）及び図１０に示すように、第一固定部７の直線部７ｂが容器本体２の内周部２５に当接する。また、第二固定部６４が、容器本体２の鍔部下面２２ｂに当接する。なお、第二固定部６４が、容器本体２の鍔下方部２３に当接するようにしてもよい。さらに詳細には、図１１に示すように、第二固定部６４は、突起部６４ａ，６４ａで構成されており、この突起部６４ａ，６４ａが、鍔部下面２２ｂに当接する。このように、固定具３は、第一固定部７の直線部７ｂ、第二固定部６４の突起部６４ａ，６４ａの三点で、容器本体２２を支持するようになっている。図９（ｂ）及び（ｃ）に示すように、係合部６全体の内側高さｄ１は、容器本体２の鍔部２２の高さｄ２よりもわずかに大きい。すなわち、第一屈折部６１、中間部６２及び第二屈折部６３とで形成する空間の形状が、容器本体２の鍔部２２の形状よりもわずかに大きくなるように、係合部６は形成されている。これにより、第一固定部７の直線部７ｂ、第二固定部６４の突起部６４ａ，６４ａの三点での容器本体２の支持が可能になる。しかも、側板部５の幅ｗ２は、中央板部４の幅ｗ１よりも大きく構成されているから（図３参照）、三点での容器本体２２の支持が、より強固なものとなっている。また、線状凸部４１，４１により、固定具３全体の機械的強度が強化されているから、中央板部４と側板部７との角度θ３（図９（ａ）参照）は、容器本体２２に内容物が入っていたとしても、ほぼ維持され、また、中央板部４自体も強化されているから、固定具３の中央板部４を把手として調理する際に、固定具３は、ほとんど変形しない。
【００３２】
なお、本考案の釜飯用固定具は、上記実施例の形態に限らず、本考
案の要旨を逸脱しない範囲内において種々変更を加えることができる。
【符号の説明】
【００３３】
１  蓋体
１２  線状突起
２  容器本体
２２  鍔部
２２ａ  鍔部上面
２２ｂ  鍔部下面
３  釜飯容器固定具
４  中央板部
４１  線状凸部
５  側板部
６  係合部
６４  第二固定部
７  第一固定部
【図１】
0003198561.tif 000003
【図２】
0003198561.tif 000004
【図３】
0003198561.tif 000005
【図４】
0003198561.tif 000006
【図５】
0003198561.tif 000007
【図６】
0003198561.tif 000008
【図７】
0003198561.tif 000009
【図８】
0003198561.tif 000010
【図９】
0003198561.tif 000011
【図１０】
0003198561.tif 000012
【図１１】
0003198561.tif 000013